(57)【特許請求の範囲】
【請求項１】
上下方向と前記上下方向に直交する径方向とを有し、棒状物品を上方向に形成された開口から繰り出し可能なボディーと、前記ボディーに前記上方向からかぶさる取り外し可能なキャップとからなり、前記ボディーが前記上下方向へ延びる軸を共有するように内側から外側へ向かって順に配置された可動部材と、内筒と、外筒と、操作筒とを有し、前記可動部材はそれに棒状物品が取り付け可能であって前記上下方向へ移動可能なものであり、前記内筒は前記上方向に開口が形成されたもので前記可動部材を前記上下方向へ移動可能かつ該内筒とともに前記軸の周り方向へ回動可能に納め、前記外筒は前記上方向に開口が形成され前記内筒を前記軸の周り方向へ回動可能に納め、前記操作筒は前記軸の周り方向へ前記内筒とともに回動し得るように前記外筒の下方で前記内筒に連結している棒状物品の繰り出し容器において、前記外筒と前記操作筒との間には前記操作筒の周面に固定される一方、前記外筒を囲んで前記外筒の周りを回動可能な第１中間筒が介在し、前記第１中間筒が前記内筒および外筒の下方にまで延びて、これら内外両筒の下端部を下方から覆う閉じた状態にある底を有するとともに、その開口の下方にはフランジ部が形成され、前記キャップは、アウターキャップと、前記アウターキャップの内側に下方から嵌合する弾性変形可能なインナーキャップとからなり、前記ボディーに前記キャップをかぶせると、前記弾性変形可能なインナーキャップの下方部分の内周面が前記第１中間筒の前記フランジ部に圧接して、気密状態で密着することを特徴とする前記繰り出し容器。
【請求項２】
前記可動部材は、前記径方向の断面形状が円形および多角形のいずれかであり、前記可動部材の径方向において該可動部材の外周面から外方へ延びる少なくとも１つの腕部を有し、前記内筒は前記上方向に形成された第１上端部と、前記下方向に形成された第１下端部と、これら両端部間に形成された第１周壁部とを有し、前記第１周壁部には該第１周壁部内側に位置する前記可動部材の腕部を外側へ延出させるとともに前記上下方向へ導き得るように前記上下方向へ長く切り欠かれた少なくとも１つの案内部を有している請求項１記載の繰り出し容器。
【請求項３】
前記外筒は、前記上方向に形成された第２上端部と、前記下方向に形成された第２下端部と、これら両端部間に形成された第２周壁部とを有し、前記第２周壁部の内側には、前記第２下端部から第２上端部へ向かって延び、前記可動部材の腕部が摺動可能に納まる少なくとも１条の螺旋溝を有する請求項１または２記載の繰り出し容器。
【請求項４】
前記中間筒は、前記内筒とともに回動し得るように前記外筒よりも下方で前記内筒に連結している請求項１〜３のいずれかに記載の繰り出し容器。
【請求項５】
前記操作筒と中間筒との間には、前記径方向における断面が多角形を呈する第２の中間筒が介在している請求項１〜４のいずれかに記載の繰り出し容器。
【請求項６】
前記操作筒の前記径方向における断面形状が多角形である請求項１〜５のいずれかに記載の繰り出し容器。
【発明の詳細な説明】
【０００１】
【発明の属する技術分野】
この発明は、棒状口紅等の棒状物品を繰り出し可能に納めるための容器に関する。
【０００２】
【従来の技術】
図５は、特開２０００−３００３３７号公報に開示されている棒状物品の繰り出し容器の断面図である。この容器１０１は、口紅Ｌが上下方向へ移動可能に納まる内筒１０３と、螺旋溝１６６を有する下部外筒１０６と一体をなしている下部被覆筒１０８とを有し、内筒１０３と下部被覆筒１０８との間には上部被覆筒１０９が介在している。上部被覆筒１０９は、内筒１０３の外周面に摺動可能に密着する一方、下部被覆筒１０８の内周面に固定されている。下部被覆筒１０８と上部被覆筒１０９との間にはＯ−リング１９４が介在している。かような容器１０１は、口紅Ｌを使用するときを除き、キャップ（図示せず）がかぶせられる。
【０００３】
【発明が解決しようとする課題】
前記公知の類の容器では、下部被覆筒に底が閉じているものを使用してキャップをかぶせると、容器全体がほぼ密閉状態となって、口紅の低沸点成分が揮散することを抑えられるから、口紅の保存性がよい。しかし、かかる容器でも、下部被覆筒や上部被覆筒をプレス加工するときやアルマイト加工するときに加え、容器の組立工程において下部被覆筒の内側に上部被覆筒を圧入するとき等に、下部被覆筒の内面および／または上部被覆筒の外面に上下方向へ走るすり傷が生じることを避け難い。かかるすり傷を通って口紅の成分が揮散すると、口紅の保存性が低下する。下部被覆筒と上部被覆筒との間に介在するＯ−リングは、これら両筒の間においてパッキング効果を奏するものの、そのようなすり傷によって形成される溝を埋めることはできない。また、下部被覆筒の径方向断面形状が多角形である場合には、下部被覆筒の角部それぞれの内側に上部被覆筒を密着させて、下部被覆筒内部を気密状態に保つということが難しい。したがって、このような容器の場合にも、口紅の保存性が低下しやすい。
【０００４】
この発明は、前記公知の類の容器の改良に係り、課題とするところは、前記容器において口紅等の棒状物品に含まれる低沸点成分の揮散防止効果を向上させることにある。
【０００５】
【課題を解決するための手段】
前記課題解決のために、この発明が対象とする棒状物品の繰り出し容器は、次のとおりである。上下方向と前記上下方向に直交する径方向とを有し、棒状物品を上方向に形成された開口から繰り出し可能なボディーと、前記ボディーに前記上方向からかぶさる取り外し可能なキャップとからなり、前記ボディーが前記上下方向へ延びる軸を共有するように内側から外側へ向かって順に配置された可動部材と、内筒と、外筒と、操作筒とを有し、前記可動部材はそれに棒状物品が取り付け可能であって前記上下方向へ移動可能なものであり、前記内筒は前記上方向に開口が形成されたもので前記可動部材を前記上下方向へ移動可能かつ該内筒とともに前記軸の周り方向へ回動可能に納め、前記外筒は前記上方向に開口が形成され前記内筒を前記軸の周り方向へ回動可能に納め、前記操作筒は前記軸の周り方向へ前記内筒とともに回動し得るように前記外筒の下方で前記内筒に連結している棒状物品の繰り出し容器。
【０００６】
かかる繰り出し容器において、この発明が特徴とするところは、前記外筒と前記操作筒との間には前記操作筒の周面に固定される一方、前記外筒を囲んで前記外筒の周りを回動可能な第１中間筒が介在し、前記第１中間筒が前記内筒および外筒の下方にまで延びて、これら内外両筒の下端部を下方から覆う閉じた状態にある底を有するとともに、その開口の下方にはフランジ部が形成され、前記キャップは、アウターキャップと、前記アウターキャップの内側に下方から嵌合する弾性変形可能なインナーキャップとからなり、前記ボディーに前記キャップをかぶせると、前記弾性変形可能なインナーキャップの下方部分の内周面が前記第１中間筒の前記フランジ部に圧接して、気密状態で密着すること、にある。
【０００７】
この発明の好ましい実施態様には、次の例がある。
（１）前記可動部材は、前記径方向の断面形状が円形および多角形のいずれかであり、前記可動部材の径方向において該可動部材の外周面から外方へ延びる少なくとも１つの腕部を有し、前記内筒は前記上方向に形成された第１上端部と、前記下方向に形成された第１下端部と、これら両端部間に形成された第１周壁部とを有し、前記第１周壁部には該第１周壁部内側に位置する前記可動部材の腕部を外側へ延出させるとともに前記上下方向へ導き得るように前記上下方向へ長く切り欠かれた少なくとも１つの案内部を有している。
（２）前記外筒は、前記上方向に形成された第２上端部と、前記下方向に形成された第２下端部と、これら両端部間に形成された第２周壁部とを有し、前記第２周壁部の内側には、前記第２下端部から第２上端部へ向かって延び、前記可動部材の腕部が摺動可能に納まる少なくとも１条の螺旋溝を有する。
（３）前記中間筒は、前記内筒とともに回動し得るように前記外筒よりも下方で前記内筒に連結している。
（４）前記操作筒と中間筒との間には、前記径方向における断面が多角形を呈する第２の中間筒が介在している。
（５）前記操作筒の前記径方向における断面形状が多角形である。
【０００８】
【発明の実施の形態】
この発明に係る棒状物品の繰り出し容器として口紅容器を例にとり、添付の図面を参照して発明の詳細を説明すると、以下のとおりである。
【０００９】
図１は、口紅容器１の斜視図である。容器１は、図の上下方向へ長く角筒状に形成されており、ボディー２と、ボディー２に上方からかぶせられる取り外し可能なキャップ３とを有し、図ではキャップ３が外された状態にある。ボディー２は、外筒２３を指先で抑えながら操作筒２４を矢印Ｐ方向へ回動させると、外筒２３の頂部開口３４から、仮想線で示されるように口紅Ｌを繰り出すことができ、矢印Ｐとは反対の方向へ回動させると口紅Ｌを繰り入れることができる。
【００１０】
図２，３，４は、図１における容器１のＩＩ−ＩＩ線切断面を示す図と、容器１の分解斜視図と、可動部材２１および内筒２２の斜視図である。ただし、図２ではキャップ３がボディー２にかぶせられた状態にあり、口紅Ｌは図示が省略されている。
【００１１】
図２のキャップ３は、アウターキャップ１１と、インナーキャップ１２とからなり、インナーキャップ１２はアウターキャップ１１の内側に下方から嵌合し、抜け落ちることがないように固定されている。インナーキャップ１２の下端部分１３は、キャップ３の径方向へ弾性変形可能に作られており、ボディー２の第１中間筒２６に対してスナップ係合する。
【００１２】
図２のボディー２は中心軸Ｃを有し、中心軸Ｃを共有するように内側から外側へ向かって、棒状口紅（図示せず）が取り付けられて図の上下方向へ移動可能な可動部材２１と、可動部材２１の外側に位置する内筒２２と、内筒２２の外側に位置する外筒２３と、外筒２３の外側に位置する操作筒２４とが順に配置されている。外筒２３と操作筒２４との間には第１中間筒２６が介在し、第１中間筒２６と操作筒２４との間には第２中間筒２７が介在し、操作筒２４の頂部にはカバー部材２８がかぶせられている。内筒２２の下端部と外筒２３の下端部との間には、外筒２３を上方向へ付勢する環状スプリング２９が介在している。
【００１３】
図３において、ボディー２が組み立てられる順序は各部材に添えた矢印によって示されており、その概略は次のとおりである。外筒２３は、第１外筒３１と第２外筒３２とからなり、第２外筒３２が第１外筒３１に下方から圧入され、抜け落ちることがないように固定される。第２外筒３２の内周面には、周方向へ１８０°の間隔をあけて２条の螺旋溝３３が形成されている。このように組み立てられた外筒２３は、頂部開口３４と底部開口３６と両開口３４，３６の間の周壁３０とを有し、周壁３０の内側に螺旋溝３３を有するものとなる（図２を併せて参照）。
【００１４】
内筒２２は、その正面の形状が図３に示され、図３における左側面の形状が可動部材２１とともに図４に示されている。内筒２２は、頂部開口３７と底部開口３８とこれら両開口３７，３８間に周壁３９とを有し、頂部開口３７の周縁には上部フランジ４１が形成され、底部開口３８の周縁には下部フランジ４２が形成されている。下部フランジ４２の直上の外周面には間欠的に配置された多数の突起からなる上方回り止め４３が形成され、直下の外周面には間欠的に配置された多数の突起からなる下方回り止め４４が形成されている。周壁３９には、その一部分を切り欠くことによって上下方向へ延びる二条の案内部４６，４７が形成されており、これら案内部４６，４７は、内筒２２の径方向において向かい合っている（図４参照）。内筒２２の外側には、上方から環状スプリング２９が嵌められる。環状スプリング２９は内周面に間欠的に配置された多数の突起からなる内部回り止め４９が内筒２２の上方回り止め４３とかみ合うので、内筒２２の周り方向へ動くことがない。環状スプリング２９は、図の上下方向へ弾性変形可能な一対のスプリング部４８を有する。内筒２２の内側には円筒状の可動部材２１が納められる。
【００１５】
可動部材２１は、可動部材２１の上下方向における位置が同じであって外周面から径方向外方ヘ向かって互いに反対向きに突出する一対の腕部５１を有する。可動部材２１が内筒２２に納まったときには、これら腕部５１が二条の案内部４６，４７を通り抜けて外へ延びている。かような可動部材２１は、内筒２２の内側において、案内部４６，４７に沿って上下動可能であるが、中心軸Ｃの周りに回動しようとすると、腕部５１が案内部４６，４７の上下方向へ延びる縁部に側方から衝接してその回動が阻止される。それゆえ、可動部材２１は、内筒２２とともに中心軸Ｃの周りに回動可能である。可動部材２１が納まる内筒２２には、外側に外筒２３が上方から嵌められる。外筒２３は、底部開口３６の周縁部が環状スプリング２９に上方から接触し、頂部開口３４周縁のフランジ部５２が内筒２２の上部フランジ４１に環状スプリング２９によって付勢された状態で下方から圧接する。内筒２２の案内部４６，４７から外へ延びる可動部材２１の一対の腕部５１は、外筒２３の二条の螺旋溝３３のそれぞれに納まる。
【００１６】
外筒２３が嵌められた内筒２２は、その下方部分を第１中間筒２６の内側ヘ納める。第１中間筒２６は、周壁５６と頂部開口５６ａとを有し、開口５６ａの下方では周壁５６の内面をへこませて外面をふくらませることにより、それら内外面に環状の溝５６ｂと環状の上方フランジ部５６ｅとが形成されている。上方フランジ部５６ｅの下方には、これに平行する環状の下方フランジ部５６ｄが形成されている。周壁５６の下端部内面には、周壁５６の外面から内面ヘ向かう方向への多数の突起を周壁５６の周り方向へ間欠的に多数配置してなる回り止め５８と、回り止め５８直上のアンダーカット部５９（図２参照）とが形成されている。アンダーカット部５９では、周壁５６の外面が内面へ向かって環状にへこんでいる。
【００１７】
内筒２２が第１中間筒２６に納まったときには、図２を参照することによって明らかなように、内筒２２の底が第１中間筒２６の底６０に当り、内筒２２の下方回り止め４４と第１中間筒２６の回り止め５８とがかみ合い、内筒２２の下方フランジ４２の上方には第１中間筒２６の内周面に形成されたアンダーカット部５９が位置することによって、内筒２２は、第１中間筒２６の中にあって第１中間筒２６の上下方向へも、周り方向へも動くことがない。かかる第１中間筒２６の底６０は、閉じている。第１中間筒２６の頂部開口５６ａの周縁は、外筒２３を囲んでいる。
【００１８】
角筒状に作られている操作筒２４は、上方に開口６１を有し、下方に閉じた底６２を有する。第２中間筒２７は、周壁６３と、多角形をなす頂部開口６６と、閉じた底６７を有する。かかる第２中間筒２７を底６７の側から操作筒２４へ納めると、第２中間筒２７の頂部フランジ５７が操作筒２４の頂部に接触し、かつ第２中間筒２７において多角形をなす頂部開口６６の縁部が操作筒２４の内周面に圧接する。かように納まる第２中間筒２７は、操作筒２４の内側にあって、上下方向へも周り方向へも動くことがない。第２中間筒２７が納まる操作筒２４の頂部には、外側からカバー部材２８が嵌められる。なお、操作筒２４の底６２と第２中間筒２７の底６７とは、図示例のように閉じておらず、開口を有していてもよい。また、第２中間筒２７の周壁６３の下方部分は、操作筒２４へ納め易いように径を小さくしたり、断面形状を円形にしたりすることができる。
【００１９】
カバー部材２８が嵌められた操作筒２４には、カバー部材２８の開口７１を通して、外筒２３が嵌められている内筒２２と一体になった第１中間筒２６が底６０の側から納められる。第１中間筒２６は、その周壁５６が第２中間筒２７の多角形をなす周壁６３の内側に圧入されるもので、その圧入は、第１中間筒２６の下方フランジ部５６ｄがカバー部材２８の頂部に衝接したところで停止する。かかる第１中間筒２６は、第２中間筒２７の中で上下方向へも周り方向へも動くことがない.
このように組み立てられるボディー２においては、組み立てに先だって、または組み立て後に棒状口紅が周知技術に基づいて取り付けられる。ボディー２にキャップ３をかぶせると、インナーキャップ１２の弾性変形可能な下方部分１３の内周面が、第１中間筒２６の上方フランジ部５６ｅに圧接する（図２，３参照）。その圧接によって、容器１では、インナーキャップ１２と第１中間筒２６とが密閉された空間を形成し、その中に納まる口紅は、低沸点成分の揮散が抑制される。因みに、ボディー２に棒状口紅を取り付けるときに、もし必要であるならば図２において底５０が閉じている内筒２２を底５０が開口を有するものに代えておくことができる。
【００２０】
口紅を使用するときには、キャップ３を外して現われる外筒２３を指先でおさえる一方、操作筒２４を図１，２の矢印Ｐ方向へ回動させる。操作筒２４が回動すれば、これと一体になった第２中間筒２７、第２中間筒２７と一体になった第１中間筒２６とが外筒２３の外側で外筒２３の周りを矢印Ｐ方向へ回動し、第１中間筒２６と一体になった内筒２２および内筒２２に納まる可動部材２１が外筒２３の内側で矢印Ｐ方向へ回動する。このときに、口紅が取り付けられている可動部材２１は、その腕部５１が外筒２３の螺旋溝３３に沿って動くことによって内筒２２の内部を上昇し、口紅が内筒２２及び外筒２３の開口３７，３４を通り抜けて繰り出される。なお、図２において、可動部材２１が内筒２２において下降位置にあるときの部分図が実線で示され、上昇位置にあるときの部分図が仮想線で示されている。
【００２１】
図示例において角筒状を呈するボディー２とキャップ３とは、円筒状のものに代えることが可能である。そのときには、第２中間筒２７を使用することなく、第１中間筒２６を操作筒２４の内側または外側へ圧力嵌めすることができ、また、カバー部材２８の使用を省くことができる。この発明は、第１中間筒２６とキャップ３とを密着させて、これら両者で密閉された空間を形成し、その中に棒状物品を入れるものであるから、そのような容器を形成する限りにおいて、第１中間筒２６の内側の構造を図示例以外のものに自由に代えることができる。例えば、可動部材２１には１つまたは３つ以上の腕５１を有するものを使用することができるし、外筒２３には１条または３条以上の螺旋溝３３有するものを使用することができる。第１中間筒２６と第２中間筒２７とは、プラスチックの射出成形によって一体的に成形し、第１中間筒２６に操作筒２４に対する回り止めの機能を持たせることができる。第１中間筒２６と第２中間筒２７とカバー部材２８とを一体的に成形してこの発明を実施することもできる。
【００２２】
【発明の効果】
この発明に係る棒状物品の繰り出し容器は、第１中間筒とインナーキャップとで密閉された空間を形成し、その空間の中に棒状物品を入れるから、棒状物品の低沸点成分の揮散を抑え、棒状物品の保存性を向上させることができる。
【図面の簡単な説明】
【図１】繰り出し容器の斜視図。
【図２】図１のＩＩ−ＩＩ線切断面を示す図。
【図３】繰り出し容器の分解斜視図。
【図４】可動部材と内筒の側面図。
【図５】従来技術の一例である容器の部分破断側面図。
【符号の説明】
１      繰り出し容器
２      ボディー
３      キャップ
２１      可動部材
２２      内筒
２３      外筒
２４      操作筒
２６      中間筒（第１中間筒）
２７      第２中間筒
３１      第２周壁部
３２      開口
３３      螺旋溝
３７      開口
３９      第１周壁部
４６      案内部
４７      案内部
５０      底
５１      腕部
Ｃ      軸
【図１】
0003921366.tif 000002
【図２】
0003921366.tif 000003
【図３】
0003921366.tif 000004
【図４】
0003921366.tif 000005
【図５】
0003921366.tif 000006